(57)【要約】【課題】定革が目立たない衣服用ベルトを提供する。【解決手段】衣服用ベルト１は、ベルト帯１０と、バックル２０と、連結小片３０と、定革４０と、連結留め具５０と、を備え、連結小片３０の両側の一端部は前記バックル２０を固定し、前記連結留め具５０は、連結小片の後側の他端部及び前記ベルト帯１０の帯根を係止し、連結小片の前側の他端部３４は前記連結留め具５０の前側に固定されることで、前記定革４０は、前記連結小片３０の両側の一端部と他端部の間に固定される。【選択図】図２
2020180403.tif 000002
【特許請求の範囲】
【請求項１】
ベルト帯と、
前記ベルト帯の先端部を引入し、固定するバックルと、
一端部において前記バックルを固定する連結小片と、
前記ベルト帯の前記バックルに固定された箇所よりも先端の剣先を挿通し、係止する定革と、
前記連結小片の他端部と、前記ベルト帯の後端部と、を連結する連結留め具と、
を備え、
前記定革は、前記連結小片の前記一端部と前記他端部の間に固定されることを特徴とする衣服用ベルト。
【請求項２】
前記連結留め具は、正面部と前記正面部の幅方向端部から立設する一対の側面部とにより断面コ字形状を有する本体部と、前記本体部の正面部と対向する開口を閉塞する底蓋と、を備え、
前記一対の側面部の各々の内面に、前記底蓋を差し込む側溝を備え、
前記側溝に前記底蓋をスライドさせて挿入することにより前記開口が閉塞されることを特徴とする請求項１に記載の衣服用ベルト。
【請求項３】
前記連結留め具は、正面部と前記正面部の幅方向端部から立設する一対の側面部とにより断面コ字形状を有する本体部と、前記本体部の正面部と対向する開口を閉塞する底蓋と、を備え、
前記底蓋は、その固定端が前記側面部に垂直な回転軸を中心に回動自在に構成され、
前記底蓋の自由端が前記本体部に近づくように回転させることにより前記開口が閉塞されることを特徴とする請求項１に記載の衣服用ベルト。
【請求項４】
前記本体部は、前記一対の側面部に直交する棒状部材により前記連結小片の他端部を収納する箇所と、前記ベルト帯の後端部を収納する箇所と、に区分されていることを特徴とする請求項２又は３に記載の衣服用ベルト。
【請求項５】
前記正面部の内面は、前記連結小片の他端部と前記ベルト帯の後端部とを係止する複数の突起を備えることを特徴とする請求項２から４のいずれか一項に記載の衣服用ベルト。
【請求項６】
前記突起は、大突起と、前記大突起よりも低い小突起と、を備えることを特徴とする請求項５に記載の衣服用ベルト。
【発明の詳細な説明】
【技術分野】
【０００１】
本発明は、衣服用ベルトに関する。
【背景技術】
【０００２】
スーツのズボン、カジュアルパンツ及びジーパン等（以下、総称して「ズボン」という）を着る場合、ズボンが下がらないようにベルトを着用する。また、場合によっては、ベルトによってファッションを強調したりする。
【０００３】
このような通常の衣服用のベルトは、一般に革等の帯状のベルト帯の後端部に連結留め具を介して固定具であるバックルが連結されており、着用する際は、ベルト帯を腰に巻いた状態で先端部をバックルに引入し、所定の位置で固定し、当該ベルト帯先端部のうち、固定した箇所よりも先端の部分を定革に挿通することで完了される（例えば、特許文献１参照）。
【先行技術文献】
【特許文献】
【０００４】
【特許文献１】実用新案登録第３２０８１９６号
【発明の概要】
【発明が解決しようとする課題】
【０００５】
しかしながら、従来のベルトにおいては、定革を固定する必要があることから、ベルト帯の後端部とバックルを連結する連結留め具によって、定革を固定している。そのため、連結留め具の厚みは、ベルト帯の厚みと定革の厚みの和よりも大きくなるため、ベルトの中でも特に厚みが大きくなってしまい、定革がファッションの中で悪目立ちしてしまっていた。
【０００６】
そこで、本発明の課題は、定革が目立たない衣服用ベルトを提供することにある。
【課題を解決するための手段】
【０００７】
以上の課題を解決するため、請求項１に記載の発明は、衣服用ベルトにおいて、
ベルト帯と、
前記ベルト帯の先端部を引入し、固定するバックルと、
一端部において前記バックルを固定する連結小片と、
前記ベルト帯の前記バックルに固定された箇所よりも先端の剣先を挿通し、係止する定革と、
前記連結小片の他端部と、前記ベルト帯の後端部と、を連結する連結留め具と、
を備え、
前記定革は、前記連結小片の前記一端部と前記他端部の間に固定されることを特徴とする。
【０００８】
請求項２に記載の発明は、請求項１に記載の衣服用ベルトにおいて、
前記連結留め具は、正面部と前記正面部の幅方向端部から立設する一対の側面部とにより断面コ字形状を有する本体部と、前記本体部の正面部と対向する開口を閉塞する底蓋と、を備え、
前記一対の側面部の各々の内面に、前記底蓋を差し込む側溝と、を備え、
前記側溝に前記底蓋をスライドさせて挿入することにより前記開口が閉塞されることを特徴とする。
【０００９】
請求項３に記載の発明は、請求項１に記載の衣服用ベルトにおいて、
前記連結留め具は、正面部と前記正面部の幅方向端部から立設する一対の側面部とにより断面コ字形状を有する本体部と、前記本体部の正面部と対向する開口を閉塞する底蓋と、を備え、
前記底蓋は、その固定端が前記側面部に垂直な回転軸を中心に回動自在に構成され、
前記底蓋の自由端が前記本体部に近づくように回転させることにより前記開口が閉塞されることを特徴とする。
【００１０】
請求項４に記載の発明は、請求項２又は３に記載の衣服用ベルトにおいて、
前記本体部は、前記一対の側面部に直交する棒状部材により前記連結小片の他端部を収納する箇所と、前記ベルト帯の後端部を収納する箇所と、に区分されていることを特徴とする。
【００１１】
請求項５に記載の発明は、請求項２から４のいずれか一項に記載の衣服用ベルトにおいて、
前記正面部の内面は、前記連結小片の他端部と前記ベルト帯の後端部とを係止する複数の突起を備えることを特徴とする。
【００１２】
請求項６に記載の発明は、請求項５に記載の衣服用ベルトにおいて、
前記突起は、大突起と、前記大突起よりも低い小突起と、を備えることを特徴とする
【発明の効果】
【００１３】
本発明によれば、定革が目立たないベルトを提供することができる。
【図面の簡単な説明】
【００１４】
【図１】本実施の形態である衣服用ベルトの平面図である。
【図２】本実施の形態である衣服用ベルトの側面図である。
【図３】本実施の形態である衣服用ベルトの背面側からの斜視図である。
【図４】変形例１の衣服用ベルトの連結留め具の側面図である。
【図５】変形例２の衣服用ベルトの連結留め具の背面側からの斜視図である。
【発明を実施するための形態】
【００１５】
以下、本発明の実施の形態である衣服用ベルトの具体的な態様について、図１から図３に基づいて説明する。ただし、本発明の技術的範囲は、図示例に限定されない。
【００１６】
まず、衣服用ベルトの構成について説明する。
なお、衣服用ベルトの平面視長手方向を左右方向（Ｘ方向）、平面視短手方向を上下方向（Ｙ方向）、高さ方向を前後方向（Ｚ方向）として説明する。
【００１７】
［衣服用ベルトの構造説明］
図１は、本実施の形態である衣服用ベルト１の平面図である。図２は、衣服用ベルト１の側面図である。
衣服用ベルト１は、腰に巻いてズボンが下がるのを防ぐ帯の一種であり、例えば、ベルト帯１０と、ベルト帯１０の一端を引入し、固定するバックル２０と、バックル２０を固定する連結小片３０と、ベルト帯１０のバックル２０に固定された箇所よりも先端の部分を挿通し、係止する定革４０と、連結小片３０とベルト帯１０を連結する連結留め具５０と、を備える。
【００１８】
（ベルト帯）
ベルト帯１０は、例えば、所定の長さを有する帯状であり、その一端であり、バックル２０に引入し、固定される箇所よりも先端の部分であり、定革４０に係止される剣先１１と、その後端であり、連結留め具５０に固定される帯根１２と、を有する。
【００１９】
ベルト帯１０の素材としては、例えば、天然皮革、合成皮革、人工皮革などを使用することができるが、これらに限定されるものではなく、所定の可撓性を有する素材であれば、適宜任意に変更可能である。
【００２０】
（バックル）
バックル２０は、例えば、所定の強度を有する素材からなり、略矩形の枠状をなし、開口部の上下方向の幅はベルト帯１０の上下方向の幅よりも長い。そして、左右方向にバックル２０を横架し、一端が固定されて前後方向に回動可能な締結ピンを有する。衣服用ベルト１を着用する際は、先端部の左右方向に孔が形成されたベルト帯１０をバックル２０の枠内に挿通し、締結ピンを孔に挿通することにより、所定の長さの剣先１１を残して固定する。
【００２１】
なお、バックル２０の構成は、一例であってこれに限られるものではなく、例えば、孔を備えないベルト帯１０を挟み込んで固定するようにしても構わなく、所定の長さの剣先１１を残してベルト帯１０を固定することができればよい。
以下の説明においては、このようなピン留め式のバックル２０を備える衣服用ベルト１の場合の例について説明する。
【００２２】
（連結小片）
連結小片３０は、例えば、ベルト帯１０と同一の素材からなる帯状の小片であり、後側の一端部３１及び前側の一端部３３においてバックル２０を折り返して固定し、後側の他端部３２は、連結留め具５０に連結されることで、バックル２０と連結留め具５０を連結する。そして、前側の他端部３４が、連結留め具５０の前側に固定される。
連結小片３０の前側の他端部３４を連結留め具５０の前側に固定する方法としては、ニトリルゴムを主成分とする接着剤の使用等が挙げられるが、所定の接着力を付与することが可能な方法であればよい。
【００２３】
（定革）
定革４０は、例えば、ベルト帯１０と同一の素材からなる輪状の小片であり、連結小片３０の両側の一端部と他端部の間に固定され、剣先１１を輪内に挿通し、係止する。
定革４０を連結小片３０の両側の一端部と他端部の間に固定する方法としては、縫合等が挙げられるが、所定の強度を付与することが可能な方法であればよい。
【００２４】
（連結留め具）
図３は連結留め具５０の背面側からの斜視図である。
連結留め具５０は、例えば、所定の強度を有する金属からなる略直方体状の留め具であり、正面部５１と、正面部５１の幅方向端部から立設する一対の側面部５２、５２とにより断面コ字形状を有する本体部５３と、前記正面部５１と対向する開口を閉塞する底蓋５４と、を備える。
【００２５】
（正面部）
正面部５１は、その内面に所定の強度を有する複数の大突起５５を備える。
大突起５５は、例えば、正面部５１から直立する略円錐状に形成され、上下方向及び左右方向に複数配置され、その高さは側面部５２の高さよりも低い。
【００２６】
（側面部）
側面部５２、５２は、各々の内面に長手方向に沿った側溝５２１を備える。
側溝５２１は、底蓋５４を安定して挿入し、差し込むことができる所定の幅と深さを有する。
【００２７】
（本体部）
本体部５３は、側面部５２、５２に直交し、両者を繋ぐ棒状部材５３１を正面部５１の長手方向中央に備える。
棒状部材５３１は、例えば、略直方体状に形成され、前後方向の長さは、側面部５２の前後方向の長さよりも短くあり、本体部５３を、連結小片の後側の他端部３２を収納する箇所と、帯根１２を収納する箇所と、に区分する。
なお、棒状部材５３１の前後方向の長さは、側面部５２の前後方向の長さと略同一であってもよく、本体部５３を２つの空間に仕切ってしまっても構わない。
【００２８】
（底蓋）
底蓋５４は、例えば、所定の強度を有する薄い板状であり、棒状部材と接する辺に、所定の大きさを有する指掛け用切欠５４１を備える。
また、底蓋５４は棒状部材５３１に接する辺と対向する辺の２つの隅部に凸部５４２、５４２を備え、側溝５２１は対応する箇所に、凸部５４２に嵌合するような凹部５２１１、５２１１を備えるようにしてもよく、このような構成を採ることで、底蓋５４が側溝５２１から抜け落ちにくくなる。
【００２９】
［連結留め具の作用・効果］
以上のように、本実施形態の連結留め具５０によれば、連結小片の後側の他端部３２と帯根１２を、本体部５３にそれぞれ収納する。そして、底蓋５４を側溝５２１に沿って左右方向にスライドし、差し込むことにより、連結留め具５０の開口を閉塞し、また大突起５５が押圧することで、連結小片の後側の他端部３２と帯根１２を固定することができ、ベルト帯１０と、バックル２０と、が１本の衣服用ベルト１として連結する。
また、棒状部材５３１が、本体部５３を、連結小片の後側の他端部３２を収納する箇所と、帯根１２を収納する箇所に区分するため、本体部５３で連結小片の後側の他端部３２と帯根１２が重なり合って厚みを持ってしまい、底蓋５４が開口を閉塞できなくなってしまうことや、連結小片の後側の他端部３２と帯根１２のどちらか片方だけが広い面を固定され、狭い面を固定されたもう片方が連結留め具５０から抜け落ちてしまうことを防ぐことができる。
また、ベルト帯１０の調整等のために連結留め具５０の開口を開放する際は、指掛け用切欠５４１に指を挿入することで、底蓋５４をスムーズにスライドすることができる。
【００３０】
［本発明の効果］
以上のように、本実施形態の衣服用ベルト１は、連結留め具５０が連結小片の後側の他端部３２と帯根１２のみを固定し、定革４０は連結小片３０の両側の一端部と、他端部の間に固定されるため、定革４０を目立ちにくくすることができる。
【００３１】
以下に、本実施形態の衣服用ベルト１の変形例について説明する。なお、下記に説明する以外の点は、上記実施形態と略同様であり、その詳細な説明は省略する。
【００３２】
［連結留め具の変形例］
図４は、変形例１を示す側面図である。
図４に示すように、変形例１の衣服用ベルト１の連結留め具５０は、底蓋５４と、本体部５３の一対の側面部５２、５２に垂直な回転軸５４３を備え、底蓋５４は回転軸５４３によって側面部５２、５２に固定される。そのため、底蓋５４は、その固定端が回転軸５４３を中心に回動自在となり、底蓋５４の自由端を本体部５３に近づくように回転させることにより開口が閉塞される。
【００３３】
また、底蓋５４は、正面部５１と対向する面に大突起５４４を備えていてもよい。
大突起５４４は、例えば、底蓋５４から直立する略円錐状に形成され、開口を閉塞した際に大突起５５と対向しない箇所に複数配置され、その高さは、側面部５２の高さよりも低い。
【００３４】
以上のように、変形例１の連結留め具５０によれば、底蓋５４が回転軸５４３によって側面部５２に固定されているため、衣服用ベルト１の着用者が底蓋５４を紛失しなくなる。
また、帯根１２及び連結小片の後側の他端部３２は、底蓋５４が備える大突起５４４と、本体部５３が備える大突起５５と、によって両面を押圧されて固定されるため、より強固に固定できるようになる。
【００３５】
図５は、変形例２を示す背面側からの斜視図である。
図５に示すように、変形例２の衣服用ベルト１の連結留め具５０の正面部５１は、その内面に所定の強度を有する複数の大突起５５と、小突起５６と、を備える。
小突起５６は、大突起５５と同様に正面部５１から直立する略円錐状に形成され、大突起５５の上下方向及び左右方向に複数配置され、その高さは大突起５５の高さよりも低い。そのため、底蓋５４が開口を閉塞した際、大突起５５は連結小片の後側の他端部３２と帯根１２を押圧することにより係止するのに対して、小突起５６は大突起５５に固定されなかった箇所に接することで、正面部５１の摩擦力を向上させる。
【００３６】
以上のように、変形例２の連結留め具５０によれば、大きさと役割の異なる大突起５５と小突起５６によって、連結小片の後側の他端部３２と帯根１２が正面部５１に係止されているため、より強固に固定できるようになる。
【００３７】
また、本発明は、上記実施形態に限定されることなく、本発明の趣旨を逸脱しない範囲において、種々の改良並びに設計の変更を行っても良い。
例えば、本発明においては、連結小片の後側の他端部３２及び帯根１２を連結留め具５０に固定する構成は、一例であってこれに限られるものではなく、例えば、ねじ留めにより固定する構成等に適宜任意に変更可能である。
また、連結小片の後側の他端部３２は取り外し可能な構成となっているが、これに限られるものではなく、連結留め具５０に固着する構成であってもよい。
【００３８】
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【符号の説明】
【００３９】
１  衣服用ベルト
１０  ベルト帯
１１  剣先
１２  帯根
２０  バックル
３０  連結小片
３１  連結小片の後側の一端部
３２  連結小片の後側の他端部
３３  連結小片の前側の一端部
３４  連結小片の前側の他端部
４０  定革
５０  連結留め具
５１  正面部
５２  側面部
５２１  側溝
５２１１  凹部
５３  本体部
５３１  棒状部材
５４  底蓋
５４１  指掛け用切欠
５４２  凸部
５４３  回転軸
５４４、５５  大突起
５６  小突起
【図１】
2020180403.tif 000003
【図２】
2020180403.tif 000004
【図３】
2020180403.tif 000005
【図４】
2020180403.tif 000006
【図５】
2020180403.tif 000007
【手続補正書】
【提出日】令和1年8月16日(2019.8.16)
【手続補正１】
【補正対象書類名】明細書
【補正対象項目名】０００７
【補正方法】変更
【補正の内容】
【０００７】
以上の課題を解決するため、請求項１に記載の発明は、衣服用ベルトにおいて、
ベルト帯と、
前記ベルト帯の先端部を引入し、固定するバックルと、
一端部において前記バックルを固定する連結小片と、
前記ベルト帯の前記バックルに固定された箇所よりも先端の剣先を挿通し、係止する定革と、
前記連結小片の他端部と、前記ベルト帯の後端部と、を連結する連結留め具と、
を備え、
前記定革は、前記連結小片の前記一端部と前記他端部の間に固定され、
前記連結留め具は、正面部と前記正面部の幅方向端部から立設する一対の側面部とにより断面コ字形状を有する本体部と、前記本体部の正面部と対向する開口を閉塞する底蓋と、を備え、
前記本体部は、前記連結小片の他端部を収納する箇所と、前記ベルト帯の後端部を収納する箇所と、に区分され、
前記底蓋は、前記連結小片の他端部を収納する箇所の前記開口を閉塞する第１底蓋と、前記ベルト帯の後端部を収納する箇所の前記開口を閉塞する第２底蓋と、を有し、
前記連結小片の他端部及び前記ベルト帯の後端部は、前記連結留め具に対し取り外し可能であることを特徴とする。
【手続補正２】
【補正対象書類名】明細書
【補正対象項目名】０００８
【補正方法】変更
【補正の内容】
【０００８】
請求項２に記載の発明は、請求項１に記載の衣服用ベルトにおいて、
前記一対の側面部の各々の内面に、前記第１底蓋と前記第２底蓋の各々を差し込む側溝を備え、
前記側溝に前記第１底蓋と前記第２底蓋の各々をスライドさせて挿入することにより前記開口が閉塞されることを特徴とする。
【手続補正３】
【補正対象書類名】明細書
【補正対象項目名】０００９
【補正方法】変更
【補正の内容】
【０００９】
請求項３に記載の発明は、請求項１に記載の衣服用ベルトにおいて、
前記第１底蓋と前記第２底蓋の各々は、その固定端が前記側面部に垂直な回転軸を中心に回動自在に構成され、
前記第１底蓋と前記第２底蓋の自由端が前記本体部に近づくように回転させることにより前記開口が閉塞されることを特徴とする。
【手続補正４】
【補正対象書類名】特許請求の範囲
【補正対象項目名】全文
【補正方法】変更
【補正の内容】
【特許請求の範囲】
【請求項１】
ベルト帯と、
前記ベルト帯の先端部を引入し、固定するバックルと、
一端部において前記バックルを固定する連結小片と、
前記ベルト帯の前記バックルに固定された箇所よりも先端の剣先を挿通し、係止する定革と、
前記連結小片の他端部と、前記ベルト帯の後端部と、を連結する連結留め具と、
を備え、
前記定革は、前記連結小片の前記一端部と前記他端部の間に固定され、
前記連結留め具は、正面部と前記正面部の幅方向端部から立設する一対の側面部とにより断面コ字形状を有する本体部と、前記本体部の正面部と対向する開口を閉塞する底蓋と、を備え、
前記本体部は、前記連結小片の他端部を収納する箇所と、前記ベルト帯の後端部を収納する箇所と、に区分され、
前記底蓋は、前記連結小片の他端部を収納する箇所の前記開口を閉塞する第１底蓋と、前記ベルト帯の後端部を収納する箇所の前記開口を閉塞する第２底蓋と、を有し、
前記連結小片の他端部及び前記ベルト帯の後端部は、前記連結留め具に対し取り外し可能であることを特徴とする衣服用ベルト。
【請求項２】
前記一対の側面部の各々の内面に、前記第１底蓋と前記第２底蓋の各々を差し込む側溝を備え、
前記側溝に前記第１底蓋と前記第２底蓋の各々をスライドさせて挿入することにより前記開口が閉塞されることを特徴とする請求項１に記載の衣服用ベルト。
【請求項３】
前記第１底蓋と前記第２底蓋の各々は、その固定端が前記側面部に垂直な回転軸を中心に回動自在に構成され、
前記第１底蓋と前記第２底蓋の自由端が前記本体部に近づくように回転させることにより前記開口が閉塞されることを特徴とする請求項１に記載の衣服用ベルト。
【請求項４】
前記本体部は、前記一対の側面部に直交する棒状部材により前記連結小片の他端部を収納する箇所と、前記ベルト帯の後端部を収納する箇所と、に区分されていることを特徴とする請求項２又は３に記載の衣服用ベルト。
【請求項５】
前記正面部の内面は、前記連結小片の他端部と前記ベルト帯の後端部とを係止する複数の突起を備えることを特徴とする請求項２から４のいずれか一項に記載の衣服用ベルト。
【請求項６】
前記突起は、大突起と、前記大突起よりも低い小突起と、を備えることを特徴とする請求項５に記載の衣服用ベルト。